【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
操作レバーと、この操作レバーの基部に連結されて該操作レバーを所定の操作面内で揺動可能に支持するレバー支持体と、このレバー支持体を前記操作面と略直交する別の操作面内で揺動可能に支持するハウジングと、このハウジングに固定されて前記別の操作面に対して略平行に延在する回路基板と、前記操作レバーの基部に係合する被駆動部を有すると共に、前記回路基板に沿って回動できるように前記ハウジングに支持された第１のスライダと、この第１のスライダに係合するリンク部と前記回路基板に対してスイッチ切換え動作を行うスイッチ切換え部とを有すると共に、前記回路基板に沿って回動できるように前記ハウジングに支持された第２のスライダとを備え、
前記第１のスライダは、前記リンク部と係合する部位のほうが前記被駆動部よりも回転半径が大きくなるように設定されており、かつ、前記第２のスライダは、前記スイッチ切換え部のほうが前記リンク部よりも回転半径が大きくなるように設定されていることを特徴とするストークスイッチ装置。
【請求項２】
請求項１の記載において、前記第１のスライダは、その回動中心部から前記第２のスライダの回動中心部側へ延出形成されていると共に、該延出部分の先端部が前記リンク部に係合させてあり、かつ、前記第２のスライダは、その回動中心部から前記第１のスライダの回動中心部側へ延出形成されていると共に、該延出部分の全長が前記第１のスライダの前記延出部分の全長よりも長く設定されていることを特徴とするストークスイッチ装置。
【請求項３】
請求項１または２の記載において、前記第１のスライダの回動中心部と前記第２のスライダの回動中心部にそれぞれ軸孔が穿設されており、かつ、前記ハウジングには前記回路基板との対向面に、前記第１のスライダの軸孔に嵌入される第１の支軸と、前記第２のスライダの軸孔に嵌入される第２の支軸とが突設されていることを特徴とするストークスイッチ装置。
【手続補正２】
【補正対象書類名】明細書
【補正対象項目名】０００６
【補正方法】変更
【補正の内容】
【０００６】
上記の目的を達成するために、本発明のストークスイッチ装置では、操作レバーと、この操作レバーの基部に連結されて該操作レバーを所定の操作面内で揺動可能に支持するレバー支持体と、このレバー支持体を前記操作面と略直交する別の操作面内で揺動可能に支持するハウジングと、このハウジングに固定されて前記別の操作面に対して略平行に延在する回路基板と、前記操作レバーの基部に係合する被駆動部を有すると共に、前記回路基板に沿って回動できるように前記ハウジングに支持された第１のスライダと、この第１のスライダに係合するリンク部と前記回路基板に対してスイッチ切換え動作を行うスイッチ切換え部とを有すると共に、前記回路基板に沿って回動できるように前記ハウジングに支持された第２のスライダとを備え、前記第１のスライダは、前記リンク部と係合する部位のほうが前記被駆動部よりも回転半径が大きくなるように設定されており、かつ、前記第２のスライダは、前記スイッチ切換え部のほうが前記リンク部よりも回転半径が大きくなるように設定されているという構成にした。
【手続補正３】
【補正対象書類名】明細書
【補正対象項目名】０００７
【補正方法】変更
【補正の内容】
【０００７】
このように構成されたストークスイッチ装置は、レバー支持体に対して操作レバーが揺動操作されると、被駆動部が駆動されるため第１のスライダが回転し、該第１のスライダの回転によってリンク部が駆動されるため第２のスライダも回転する。そして、操作レバーの基部によって駆動される被駆動部の回転移動量が小さくても、第１のスライダと係合している第２のスライダのリンク部の回転移動量はそれよりも大きくなり、該第２のスライダのスイッチ切換え部（例えば摺動子）の回転移動量はそれよりもさらに大きくなるため、かかる揺動操作時に該スイッチ切換え部に十分な移動量を確保することは容易である。また、第１および第２のスライダは回路基板に沿って重なり合うように配置させればよく、第１のスライダの被駆動部と操作レバーの回動中心との間隔を特に大きく設定する必要もないので、ハウジングやレバー支持体の小型薄型化が阻害されることもない。
【手続補正４】
【補正対象書類名】明細書
【補正対象項目名】００１０
【補正方法】変更
【補正の内容】
【００１０】
本発明のストークスイッチ装置は、レバー支持体に対して操作レバーが揺動操作されると、第１および第２のスライダが連動して回転してスイッチの切換え動作を行うようになっており、操作レバーの基部によって駆動される第１のスライダの被駆動部の回転移動量が小さくても、該第１のスライダと係合している第２のスライダのリンク部の回転移動量はそれよりも大きくなり、該第２のスライダのスイッチ切換え部の回転移動量はそれよりもさらに大きくなるため、かかる揺動操作時にスイッチ切換え部に十分な移動量を確保することは容易である。また、第１および第２のスライダは回路基板に沿って配置させればよく、第１のスライダの被駆動部と操作レバーの回動中心との間隔を特に大きく設定する必要もないので、ハウジングやレバー支持体の小型薄型化が阻害されることもない。
【手続補正５】
【補正対象書類名】明細書
【補正対象項目名】００１７
【補正方法】変更
【補正の内容】
【００１７】
第２のスライダ６には、第２の支軸１１ｄが嵌入される軸孔６ａと、第１のスライダ５のリンク軸５ｃに係合する長孔状のリンク部６ｂと、回路基板４の図示せぬ接点パターンに摺接するスイッチ切換え部としての摺動子６ｃとが設けられている。この第２のスライダ６は、カバー体１１の凹所１１ｂ内に配置されて回路基板４と対向しており、第２の支軸１１ｄを回動軸として回路基板４に沿って回動可能である。図３と図５に示すように、第２のスライダ６は、軸孔６ａが穿設されている回動中心部から第１の支軸１１ｃの存する側へ延出して、該延出部分の先端部に摺動子６ｃが固設されている。ただし、第２のスライダ６の全長は、同じく凹所１１ｂ内に配置されている第１のスライダ５の前記延出部分の全長よりも長く設定されている。これら第１および第２のスライダ５，６は凹所１１ｂ内において重なり合うように配置されており、操作レバー１の駆動部１ｂによって第１のスライダ５が回転駆動されると、リンク軸５ｃがリンク部６ｂの内壁面を駆動するため第２のスライダ６が連動して回転するようになっている。
【手続補正６】
【補正対象書類名】明細書
【補正対象項目名】００１９
【補正方法】変更
【補正の内容】
【００１９】
次に、このように構成されたストークスイッチ装置の動作について説明する。操作レバー１がレバー支持体２に対して揺動操作されていないとき、第１および第２のスライダ５，６は図３や図４に示す中立位置にある。この状態で操作レバー１を前記第１操作面に沿
って揺動操作すると、レバー支持体２に対して操作レバー１は図４の時計回りまたは反時計回りの向きに回転するので、駆動部１ｂが同じ向きに回転して、第１のスライダ５の被駆動部５ｂが図４の左方または右方へ押し込まれる。例えば、操作レバー１を図４の時計回りの向きに回転させる操作が行われると、駆動部１ｂが被駆動部５ｂを図４の左方へ押し込んで図６に示す状態に移行するため、凹所１１ｂ内で第１のスライダ５は第１の支軸１１ｃを中心に図３に示す位置から図５に示す位置まで回転する。その結果、第１のスライダ５のリンク軸５ｃに駆動される第２のスライダ６が第２の支軸１１ｄを中心に図３に示す位置から図５に示す位置まで回転するため、摺動子６ｃが回路基板４の対応する接点パターンとの接触位置を大きく変化させてスイッチ切換え動作が行われ、例えば前照灯をロービームからハイビームへと切り換えることができる。また、操作レバー１を図４の反時計回りの向きに回転させる操作が行われた場合には、被駆動部５ｂが図４の右方へ押し込まれるため、第１のスライダ５と第２のスライダ６はそれぞれ中立位置から上記とは逆向きに回転し、それに伴う摺動子６ｃの位置変化によって例えばパッシング用スイッチ回路のスイッチ切換え動作を行わせることができる。
【手続補正７】
【補正対象書類名】明細書
【補正対象項目名】００２１
【補正方法】変更
【補正の内容】
【００２１】
また、操作レバー１を回路基板４に対して略平行な前記第２操作面に沿って揺動操作すると、回動軸２ｂを中心に操作レバー１とレバー支持体２が一体的に回転し、それに伴いレバー支持体２の駆動部２ｃに駆動される第３のスライダ７が回路基板４に沿って直線的に移動する。その結果、第３のスライダ７の摺動子７ａが回路基板４の対応する接点パターンとの接触位置を変化させるため、例えばターンシグナル用スイッチ回路のスイッチ切換え動作を行わせることができる。
【手続補正８】
【補正対象書類名】明細書
【補正対象項目名】００２２
【補正方法】変更
【補正の内容】
【００２２】
また、操作レバー１に設けられた回転つまみ１３を周方向へ回転操作すると、この操作レバー１に内蔵されている図示せぬ検知部材が回転つまみ１３に駆動されるため、例えば前照灯調光用スイッチ回路のスイッチ切換え動作を行わせることができる。
【手続補正９】
【補正対象書類名】明細書
【補正対象項目名】００２３
【補正方法】変更
【補正の内容】
【００２３】
このように本実施形態例に係るストークスイッチ装置は、レバー支持体２に対して操作レバー１が揺動操作されると、被駆動部５ｂが駆動されて第１のスライダ５が回転し、この第１のスライダ５の回転によってリンク部６ｂが駆動されて第２のスライダ６も回転するという２段回転リンク機構を採用している。そして、操作レバー１の基部１ａ（駆動部１ｂ）によって駆動される被駆動部５ｂの回転移動量が小さくても、第１のスライダ５と係合している第２のスライダ６のリンク部６ｂの回転移動量はそれよりも大きくなり、第２のスライダ６のスイッチ切換え部である摺動子６ｃの回転移動量はそれよりもさらに大きくなるため、かかる揺動操作時に摺動子６ｃに十分な移動量を確保することは容易である。また、第１および第２のスライダ５，６は回路基板４に沿って重なり合うように配置させればよく、第１のスライダ５の被駆動部５ｂと操作レバー１の回動中心との間隔を特に大きく設定する必要もないので、ハウジング３やレバー支持体２の小型薄型化が阻害されることもない。
【手続補正１０】
【補正対象書類名】明細書
【補正対象項目名】００２６
【補正方法】変更
【補正の内容】
【００２６】
なお、上記実施形態例では、第１のスライダ５や第２のスライダ６の回動軸となる支軸１１ｃ，１１ｄがハウジング３に突設されているが、これら支軸を第１および第２のスライダ５，６に突設することも可能である。また、第１のスライダ５のリンク軸５ｃと第２のスライダ６のリンク部６ｂの凹凸関係を逆にした構成にしてもよい。さらに、第２のスライダ６に摺動子以外のスイッチ切換え部を設けた構成にしてもよい。
【手続補正１１】
【補正対象書類名】明細書
【補正対象項目名】００２８
【補正方法】変更
【補正の内容】
【００２８】
１  操作レバー
１ａ  基部
１ｂ  駆動部
２  レバー支持体
２ａ  軸受部
２ｂ  回動軸
３  ハウジング
４  回路基板
５  第１のスライダ
５ａ  軸孔
５ｂ  被駆動部
５ｃ  リンク軸
５ｄ  溝部
６  第２のスライダ
６ａ  軸孔
６ｂ  リンク部
６ｃ  摺動子（スイッチ切換え部）
１０  主ケース
１１  カバー体
１１ｂ  凹所
１１ｃ  第１の支軸
１１ｄ  第２の支軸